(57)【特許請求の範囲】
【請求項１】
光軸に沿って物体側から順に並んだ、正の屈折力を有する第１レンズ群と、負の屈折力を有する第２レンズ群と、正の屈折力を有する第３レンズ群とにより実質的に３個のレンズ群からなり、無限遠物体から有限距離物体への合焦の際、隣り合うレンズ群の間隔が変化するように、前記第２レンズ群が光軸に沿って移動するように構成された撮影レンズであって、
前記第１レンズ群は、光軸に沿って物体側から順に並んだ、前群と、前記前群に対し前記第１レンズ群の中で最も長い空気間隔を隔てた後群とからなり、
前記前群は、少なくとも１枚の負レンズを有し、
前記後群は、負レンズと正レンズとが貼り合わされた接合レンズを有し、
前記第２レンズ群は、光軸に沿って物体側から順に並んだ、負レンズと、物体側から順に正レンズと負レンズとが貼り合わされた接合レンズとを有し、
前記第２レンズ群の前記負レンズおよび前記第２レンズ群の前記接合レンズは、以下の条件式を満足し、
Ｒｍ／ｆ２＞０．７８
ν２ｎ−ν２ｐ＜２６．０
但し、
ｆ２：前記第２レンズ群の焦点距離、
Ｒｍ：前記第２レンズ群の前記接合レンズにおける接合面の曲率半径、
ν２ｐ：前記第２レンズ群の前記接合レンズのうち最もアッベ数が小さい正レンズのアッベ数、
ν２ｎ：前記第２レンズ群の前記接合レンズのうち最もアッベ数が大きい負レンズのアッベ数、
さらに、以下の条件式を満足することを特徴とする撮影レンズ。
（−ｆ１ａｎ）／ｆ１＞１．３５
ν１ｂｐ−ν１ｂｎ＜３２．０
但し、
ｆ１：前記第１レンズ群の焦点距離、
ｆ１ａｎ：前記前群の前記負レンズのうち最も焦点距離が短い負レンズの焦点距離、
ν１ｂｐ：前記後群の前記接合レンズのうち最もアッベ数が大きい正レンズのアッベ数、
ν１ｂｎ：前記後群の前記接合レンズのうち最もアッベ数が小さい負レンズのアッベ数。
【請求項２】
光軸に沿って物体側から順に並んだ、正の屈折力を有する第１レンズ群と、負の屈折力を有する第２レンズ群と、正の屈折力を有する第３レンズ群とにより実質的に３個のレンズ群からなり、無限遠物体から有限距離物体への合焦の際、隣り合うレンズ群の間隔が変化するように、前記第２レンズ群が光軸に沿って移動するように構成された撮影レンズであって、
前記第１レンズ群は、光軸に沿って物体側から順に並んだ、前群と、前記前群に対し前記第１レンズ群の中で最も長い空気間隔を隔てた後群とからなり、
前記前群は、少なくとも１枚の負レンズを有し、
前記後群は、負レンズと正レンズとが貼り合わされた接合レンズを有し、
前記第２レンズ群は、光軸に沿って物体側から順に並んだ、負レンズと、物体側から順に正レンズと負レンズとが貼り合わされた接合レンズとを有し、
前記第２レンズ群の前記負レンズおよび前記第２レンズ群の前記接合レンズは、以下の条件式を満足し、
Ｒｍ／ｆ２＞０．７８
ν２ｎ−ν２ｐ＜３０．０
但し、
ｆ２：前記第２レンズ群の焦点距離、
Ｒｍ：前記第２レンズ群の前記接合レンズにおける接合面の曲率半径、
ν２ｐ：前記第２レンズ群の前記接合レンズのうち最もアッベ数が小さい正レンズのアッベ数、
ν２ｎ：前記第２レンズ群の前記接合レンズのうち最もアッベ数が大きい負レンズのアッベ数、
さらに、以下の条件式を満足することを特徴とする撮影レンズ。
（−ｆ１ａｎ）／ｆ１＞１．３５
ν１ｂｐ−ν１ｂｎ＜３２．０
Ｄ１ａｂ／Ｄ１＞０．５０
但し、
ｆ１：前記第１レンズ群の焦点距離、
ｆ１ａｎ：前記前群の前記負レンズのうち最も焦点距離が短い負レンズの焦点距離、
ν１ｂｐ：前記後群の前記接合レンズのうち最もアッベ数が大きい正レンズのアッベ数、
ν１ｂｎ：前記後群の前記接合レンズのうち最もアッベ数が小さい負レンズのアッベ数、
Ｄ１：前記第１レンズ群の長さ、
Ｄ１ａｂ：前記前群と前記後群との空気間隔。
【請求項３】
以下の条件式を満足することを特徴とする請求項１に記載の撮影レンズ。
Ｄ１ａｂ／Ｄ１＞０．４０
但し、
Ｄ１：前記第１レンズ群の長さ、
Ｄ１ａｂ：前記前群と前記後群との空気間隔。
【請求項４】
前記第３レンズ群のうち少なくとも１枚のレンズは、光軸と垂直な方向の成分を有するように移動可能に設けられていることを特徴とする請求項１から３のいずれか一項に記載の撮影レンズ。
【請求項５】
前記前群は、光軸に沿って物体側から順に並んだ、２枚の正レンズと、１枚の前記負レンズとを有することを特徴とする請求項１から４のいずれか一項に記載の撮影レンズ。
【請求項６】
前記後群は、前記後群の前記接合レンズからなり、前記後群の前記接合レンズは、物体側から順に負レンズと正レンズとが貼り合わされた接合レンズであることを特徴とする請求項１から５のいずれか一項に記載の撮影レンズ。
【請求項７】
以下の条件式を満足することを特徴とする請求項１から６のいずれか一項に記載の撮影レンズ。
Ｓ１ｐ＜３．５０
但し、
Ｓ１ｐ：前記前群のうち少なくとも１枚の正レンズの比重。
【請求項８】
以下の条件式を満足することを特徴とする請求項１から７のいずれか一項に記載の撮影レンズ。
Ｓ１ｎ＜４．５０
但し、
Ｓ１ｎ：前記前群のうち少なくとも１枚の負レンズの比重。
【請求項９】
物体の像を所定の面上に結像させる撮影レンズを備えた光学機器であって、
前記光学系が請求項１から８のいずれか一項に記載の撮影レンズであることを特徴とする光学機器。
【請求項１０】
光軸に沿って物体側から順に、正の屈折力を有する第１レンズ群と、負の屈折力を有する第２レンズ群と、正の屈折力を有する第３レンズ群とにより実質的に３個のレンズ群を配置する撮影レンズの製造方法であって、
無限遠物体から有限距離物体への合焦の際、隣り合うレンズ群の間隔が変化するように、前記第２レンズ群が光軸に沿って移動し、
前記第１レンズ群は、光軸に沿って物体側から順に並んだ、前群と、前記前群に対し前記第１レンズ群の中で最も長い空気間隔を隔てた後群とからなり、
前記前群は、少なくとも１枚の負レンズを有し、
前記後群は、負レンズと正レンズとが貼り合わされた接合レンズを有し、
前記第２レンズ群は、光軸に沿って物体側から順に並んだ、負レンズと、物体側から順に正レンズと負レンズとが貼り合わされた接合レンズとを有し、
前記第２レンズ群の前記負レンズおよび前記第２レンズ群の前記接合レンズは、以下の条件式を満足し、
Ｒｍ／ｆ２＞０．７８
ν２ｎ−ν２ｐ＜２６．０
但し、
ｆ２：前記第２レンズ群の焦点距離、
Ｒｍ：前記第２レンズ群の前記接合レンズにおける接合面の曲率半径、
ν２ｐ：前記第２レンズ群の前記接合レンズのうち最もアッベ数が小さい正レンズのアッベ数、
ν２ｎ：前記第２レンズ群の前記接合レンズのうち最もアッベ数が大きい負レンズのアッベ数、
さらに、以下の条件式を満足するようにしたことを特徴とする撮影レンズの製造方法。
（−ｆ１ａｎ）／ｆ１＞１．３５
ν１ｂｐ−ν１ｂｎ＜３２．０
但し、
ｆ１：前記第１レンズ群の焦点距離、
ｆ１ａｎ：前記前群の前記負レンズのうち最も焦点距離が短い負レンズの焦点距離、
ν１ｂｐ：前記後群の前記接合レンズのうち最もアッベ数が大きい正レンズのアッベ数、
ν１ｂｎ：前記後群の前記接合レンズのうち最もアッベ数が小さい負レンズのアッベ数。
【発明の詳細な説明】
【技術分野】
【０００１】
本発明は、撮影レンズ、この撮影レンズを備えた光学機器、および撮影レンズの製造方
法に関する。
【背景技術】
【０００２】
従来から、写真用カメラ、電子スチルカメラ、ビデオカメラ等に適した撮影レンズが提
案されている。撮影レンズの中で、長焦点距離でありながら、小型で良好な結像性能を有
し、機械的に構成可能なレンズタイプとして、インナーフォーカス式のテレフォトタイプ
が多く用いられている（例えば、特許文献１および特許文献２を参照）。
【先行技術文献】
【特許文献】
【０００３】
【特許文献１】特開２００９−１８０８２７号公報
【特許文献２】特開平１１−１６０６１７号公報
【発明の概要】
【発明が解決しようとする課題】
【０００４】
しかしながら、このような撮影レンズに対し、さらなる小型軽量化が要望されている。
【０００５】
本発明は、このような問題に鑑みてなされたものであり、小型軽量かつ良好な結像性能
を有した撮影レンズ、光学機器、および撮影レンズの製造方法を提供することを目的とす
る。
【課題を解決するための手段】
【０００６】
このような目的達成のため、第１の発明に係る撮影レンズは、光軸に沿って物体側から順に並んだ、正の屈折力を有する第１レンズ群と、負の屈折力を有する第２レンズ群と、正の屈折力を有する第３レンズ群とにより実質的に３個のレンズ群からなり、無限遠物体から有限距離物体への合焦の際、隣り合うレンズ群の間隔が変化するように、前記第２レンズ群が光軸に沿って移動するように構成された撮影レンズであって、前記第１レンズ群は、光軸に沿って物体側から順に並んだ、前群と、前記前群に対し前記第１レンズ群の中で最も長い空気間隔を隔てた後群とからなり、前記前群は、少なくとも１枚の負レンズを有し、前記後群は、負レンズと正レンズとが貼り合わされた接合レンズを有し、前記第２レンズ群は、光軸に沿って物体側から順に並んだ、負レンズと、物体側から順に正レンズと負レンズとが貼り合わされた接合レンズとを有し、前記第２レンズ群の前記負レンズおよび前記第２レンズ群の前記接合レンズは、以下の条件式を満足し、
Ｒｍ／ｆ２＞０．７８
ν２ｎ−ν２ｐ＜２６．０
但し、
ｆ２：前記第２レンズ群の焦点距離、
Ｒｍ：前記第２レンズ群の前記接合レンズにおける接合面の曲率半径、
ν２ｐ：前記第２レンズ群の前記接合レンズのうち最もアッベ数が小さい正レンズのアッベ数、
ν２ｎ：前記第２レンズ群の前記接合レンズのうち最もアッベ数が大きい負レンズのアッベ数、
さらに、以下の条件式を満足している。
（−ｆ１ａｎ）／ｆ１＞１．３５
ν１ｂｐ−ν１ｂｎ＜３２．０
但し、
ｆ１：前記第１レンズ群の焦点距離、
ｆ１ａｎ：前記前群の前記負レンズのうち最も焦点距離が短い負レンズの焦点距離、
ν１ｂｐ：前記後群の前記接合レンズのうち最もアッベ数が大きい正レンズのアッベ数、
ν１ｂｎ：前記後群の前記接合レンズのうち最もアッベ数が小さい負レンズのアッベ数。
【０００７】
また、第２の発明に係る撮影レンズは、光軸に沿って物体側から順に並んだ、正の屈折力を有する第１レンズ群と、負の屈折力を有する第２レンズ群と、正の屈折力を有する第３レンズ群とにより実質的に３個のレンズ群からなり、無限遠物体から有限距離物体への合焦の際、隣り合うレンズ群の間隔が変化するように、前記第２レンズ群が光軸に沿って移動するように構成された撮影レンズであって、前記第１レンズ群は、光軸に沿って物体側から順に並んだ、前群と、前記前群に対し前記第１レンズ群の中で最も長い空気間隔を隔てた後群とからなり、前記前群は、少なくとも１枚の負レンズを有し、前記後群は、負レンズと正レンズとが貼り合わされた接合レンズを有し、前記第２レンズ群は、光軸に沿って物体側から順に並んだ、負レンズと、物体側から順に正レンズと負レンズとが貼り合わされた接合レンズとを有し、前記第２レンズ群の前記負レンズおよび前記第２レンズ群の前記接合レンズは、以下の条件式を満足し、
Ｒｍ／ｆ２＞０．７８
ν２ｎ−ν２ｐ＜３０．０
但し、
ｆ２：前記第２レンズ群の焦点距離、
Ｒｍ：前記第２レンズ群の前記接合レンズにおける接合面の曲率半径、
ν２ｐ：前記第２レンズ群の前記接合レンズのうち最もアッベ数が小さい正レンズのアッベ数、
ν２ｎ：前記第２レンズ群の前記接合レンズのうち最もアッベ数が大きい負レンズのアッベ数、
さらに、以下の条件式を満足している。
（−ｆ１ａｎ）／ｆ１＞１．３５
ν１ｂｐ−ν１ｂｎ＜３２．０
Ｄ１ａｂ／Ｄ１＞０．５０
但し、
ｆ１：前記第１レンズ群の焦点距離、
ｆ１ａｎ：前記前群の前記負レンズのうち最も焦点距離が短い負レンズの焦点距離、
ν１ｂｐ：前記後群の前記接合レンズのうち最もアッベ数が大きい正レンズのアッベ数、
ν１ｂｎ：前記後群の前記接合レンズのうち最もアッベ数が小さい負レンズのアッベ数、
Ｄ１：前記第１レンズ群の長さ、
Ｄ１ａｂ：前記前群と前記後群との空気間隔。
【００１７】
また、本発明に係る光学機器は、物体の像を所定の面上に結像させる撮影レンズを備え
た光学機器であって、前記撮影レンズとして本発明に係る撮影レンズを用いている。
【００１８】
また、本発明に係る撮影レンズの製造方法は、光軸に沿って物体側から順に、正の屈折力を有する第１レンズ群と、負の屈折力を有する第２レンズ群と、正の屈折力を有する第３レンズ群とにより実質的に３個のレンズ群を配置する撮影レンズの製造方法であって、無限遠物体から有限距離物体への合焦の際、隣り合うレンズ群の間隔が変化するように、前記第２レンズ群が光軸に沿って移動し、前記第１レンズ群は、光軸に沿って物体側から順に並んだ、前群と、前記前群に対し前記第１レンズ群の中で最も長い空気間隔を隔てた後群とからなり、前記前群は、少なくとも１枚の負レンズを有し、前記後群は、負レンズと正レンズとが貼り合わされた接合レンズを有し、前記第２レンズ群は、光軸に沿って物体側から順に並んだ、負レンズと、物体側から順に正レンズと負レンズとが貼り合わされた接合レンズとを有し、前記第２レンズ群の前記負レンズおよび前記第２レンズ群の前記接合レンズは、以下の条件式を満足し、
Ｒｍ／ｆ２＞０．７８
ν２ｎ−ν２ｐ＜２６．０
但し、
ｆ２：前記第２レンズ群の焦点距離、
Ｒｍ：前記第２レンズ群の前記接合レンズにおける接合面の曲率半径、
ν２ｐ：前記第２レンズ群の前記接合レンズのうち最もアッベ数が小さい正レンズのアッベ数、
ν２ｎ：前記第２レンズ群の前記接合レンズのうち最もアッベ数が大きい負レンズのアッベ数、
さらに、以下の条件式を満足するようにしている。
（−ｆ１ａｎ）／ｆ１＞１．３５
ν１ｂｐ−ν１ｂｎ＜３２．０
但し、
ｆ１：前記第１レンズ群の焦点距離、
ｆ１ａｎ：前記前群の前記負レンズのうち最も焦点距離が短い負レンズの焦点距離、
ν１ｂｐ：前記後群の前記接合レンズのうち最もアッベ数が大きい正レンズのアッベ数、
ν１ｂｎ：前記後群の前記接合レンズのうち最もアッベ数が小さい負レンズのアッベ数。
【発明の効果】
【００２０】
本発明によれば、小型軽量かつ良好な結像性能を得ることができる。
【図面の簡単な説明】
【００２１】
【図１】第１実施例に係る撮影レンズの無限遠合焦状態におけるレンズ構成図である。
【図２】（ａ）は第１実施例に係る撮影レンズの無限遠合焦状態における諸収差図であり、（ｂ）は像ブレ補正を行った時の横収差図である。
【図３】第２実施例に係る撮影レンズの無限遠合焦状態におけるレンズ構成図である。
【図４】（ａ）は第２実施例に係る撮影レンズの無限遠合焦状態における諸収差図であり、（ｂ）は像ブレ補正を行った時の横収差図である。
【図５】デジタル一眼レフカメラの断面図である。
【図６】撮影レンズの製造方法を示すフローチャートである。
【発明を実施するための形態】
【００２２】
以下、本願の好ましい実施形態について図を参照しながら説明する。本願に係る撮影レ
ンズＭＬを備えたデジタル一眼レフカメラＣＡＭが図５に示されている。図５に示すデジ
タル一眼レフカメラＣＡＭにおいて、不図示の物体（被写体）からの光は、撮影レンズＭ
Ｌで集光されて、クイックリターンミラーＭを介して焦点板Ｆ上に結像される。焦点板Ｆ
上に結像された光は、ペンタプリズムＰ中で複数回反射されて接眼レンズＥへと導かれる
。これにより、撮影者は、接眼レンズＥを介して物体（被写体）の像を正立像として観察
することができる。
【００２３】
また、撮影者によって不図示のレリーズボタンが押されると、クイックリターンミラー
Ｍが光路外へ退避し、撮影レンズＭＬで集光された物体（被写体）からの光は、撮像素子
Ｃ上に結像されて被写体の像を形成する。これにより、物体（被写体）からの光は、撮像
素子Ｃ上に結像されて当該撮像素子Ｃにより撮像され、物体（被写体）の画像として不図
示のメモリーに記録される。このようにして、撮影者はデジタル一眼レフカメラＣＡＭに
よる物体（被写体）の撮影を行うことができる。なお、クイックリターンミラーＭを有し
ないカメラであっても、上記カメラＣＡＭと同様の効果を得ることができる。また、図５
に示すデジタル一眼レフカメラＣＡＭは、撮影レンズＭＬを着脱可能に保持する構成であ
ってもよく、撮影レンズＭＬと一体に構成されるものであってもよい。
【００２４】
撮影レンズＭＬは、例えば図１に示すように、光軸に沿って物体側から順に並んだ、正
の屈折力を有する第１レンズ群Ｇ１と、負の屈折力を有する第２レンズ群Ｇ２と、正の屈
折力を有する第３レンズ群Ｇ３とを有している。この構成により、長焦点距離でありなが
ら、小型化と高性能化を両立することができる。また、無限遠物体から近距離（有限距離
）物体への合焦の際、第２レンズ群Ｇ２が光軸に沿って移動するようになっている。
【００２５】
第１レンズ群Ｇ１は、光軸に沿って物体側から順に並んだ、前群Ｇ１ａと、この前群Ｇ
１ａに対し第１レンズ群Ｇ１の中で最も長い空気間隔を隔てた後群Ｇ１ｂとから構成され
る。このように、第１レンズ群Ｇ１を、最も長い空気間隔を隔てて前群Ｇ１ａと後群Ｇ１
ｂとに分けることで、第１レンズ群Ｇ１の焦点距離を適切に短くすることができる。また
、結果として、第２レンズ群Ｇ２のレンズ径を小型化するとともに、近距離合焦に伴う第
２レンズ群Ｇ２の移動量を少なくすることが可能となるため、比較的小型のモーターユニ
ットで第２レンズ群Ｇ２（合焦レンズ群）を駆動することができる。
【００２６】
第２レンズ群Ｇ２は、光軸に沿って物体側から順に並んだ、負レンズと、物体側から順
に正レンズと負レンズとが貼り合わされた接合レンズとを有している。この構成により、
近距離合焦時の球面収差、像面湾曲、色収差等を良好に補正することができる。
【００２７】
このような構成の撮影レンズＭＬにおいて、良好な結像性能を維持しつつ、小型軽量化
を図るため、次の条件式（１）〜（４）で表される条件を満足することが好ましい。
【００２８】
（−ｆ１ａｎ）／ｆ１＞１．３５    …（１）
ν１ｂｐ−ν１ｂｎ＜３２．０      …（２）
Ｒｍ／ｆ２＞０．７８              …（３）
ν２ｎ−ν２ｐ＜３０．０          …（４）
但し、
ｆ１：第１レンズ群Ｇ１の焦点距離、
ｆ２：第２レンズ群Ｇ２の焦点距離、
ｆ１ａｎ：前群Ｇ１ａのうち最も焦点距離が短い負レンズの焦点距離、
ν１ｂｐ：後群Ｇ１ｂのうち最もアッベ数が大きい正レンズのアッベ数、
ν１ｂｎ：後群Ｇ１ｂのうち最もアッベ数が小さい負レンズのアッベ数、
Ｒｍ：第２レンズ群Ｇ２の接合レンズにおける接合面の曲率半径、
ν２ｐ：第２レンズ群Ｇ２のうち最もアッベ数が小さい正レンズのアッベ数、
ν２ｎ：第２レンズ群Ｇ２のうち最もアッベ数が大きい負レンズのアッベ数。
【００２９】
条件式（１）は、第１レンズ群Ｇ１の焦点距離ｆ１に対する、前群Ｇ１ａのうち最も焦
点距離が短い負レンズの焦点距離ｆ１ａｎの比を規定するものである。条件式（１）の下
限値を下回る条件である場合、負レンズの焦点距離ｆ１ａｎが短くなるので、当該負レン
ズの各レンズ面の曲率半径が小さくなり、レンズの縁厚が増えて重くなる。軽量化のため
に、例えば比重の軽いガラスを用いると、屈折率が小さくなるので、結果として像面湾曲
収差の補正が困難となる。
【００３０】
なお、本実施形態の効果をより確実なものとするために、条件式（１）の下限値を１．
４０とすることが望ましい。
【００３１】
条件式（２）は、後群Ｇ１ｂのうち最もアッベ数が大きい正レンズのアッベ数ν１ｂｐ
と、後群Ｇ１ｂのうち最もアッベ数が小さい負レンズのアッベ数ν１ｂｎの差を規定する
ものである。条件式（２）の上限値を上回る条件である場合、色収差、特に２次スペクト
ルの補正が困難となる。
【００３２】
なお、本実施形態の効果をより確実なものとするために、条件式（２）の上限値を３０
．０とすることが望ましい。
【００３３】
条件式（３）は、第２レンズ群Ｇ２の焦点距離ｆ２に対する、第２レンズ群Ｇ２の接合
レンズにおける接合面の曲率半径Ｒｍの比を規定するものである。条件式（３）の下限値
を下回る条件である場合、接合面の曲率半径Ｒｍが小さくなるため、近距離合焦時の像面
湾曲収差の補正が困難となる。
【００３４】
なお、本実施形態の効果をより確実なものとするために、条件式（３）の下限値を０．
８０とすることが望ましい。
【００３５】
条件式（４）は、第２レンズ群Ｇ２のうち最もアッベ数が小さい正レンズのアッベ数ν
２ｐと、第２レンズ群Ｇ２のうち最もアッベ数が大きい負レンズのアッベ数ν２ｎの差を
規定するものである。条件式（４）の上限値を上回る条件である場合、色収差、特に２次
スペクトルの補正が困難となる。
【００３６】
なお、本実施形態の効果をより確実なものとするために、条件式（４）の上限値を２６
．０とすることが望ましい。
【００３７】
また、このような撮影レンズＭＬにおいて、第３レンズ群Ｇ３のうち少なくとも１枚の
レンズは、光軸と垂直な方向の成分を有するように移動可能に設けられていることが好ま
しい。これにより、手ブレなどで振動した場合の光軸のずれを補正することができ、結像
性能についても実用上問題の無いレベルまで補正することができる。
【００３８】
また、このような撮影レンズＭＬにおいて、第１レンズ群Ｇ１の前群Ｇ１ａは、光軸に
沿って物体側から順に並んだ、２枚の正レンズと、１枚の負レンズとを有することが好ま
しい。これにより、小型軽量化を達成しつつ色収差や球面収差を良好に補正することがで
きる。
【００３９】
また、このような撮影レンズＭＬにおいて、第１レンズ群Ｇ１の後群Ｇ１ｂは、物体側
から順に負レンズと正レンズとが貼り合わされた接合レンズからなることが好ましい。こ
れにより、コマ収差や近距離合焦時の球面収差を良好に補正することができる。
【００４０】
また、このような撮影レンズＭＬにおいて、次の条件式（５）で表される条件を満足す
ることが好ましい。
【００４１】
Ｄ１ａｂ／Ｄ１＞０．４０    …（５）
但し、
Ｄ１：第１レンズ群Ｇ１の長さ、
Ｄ１ａｂ：前群Ｇ１ａと後群Ｇ１ｂとの空気間隔。
【００４２】
条件式（５）は、第１レンズ群Ｇ１の長さＤ１と、前群Ｇ１ａと後群Ｇ１ｂとの空気間
隔Ｄ１ａｂの比を規定するものである。条件式（５）の下限値を下回る条件である場合、
後群Ｇ１ｂが大型化し、重量が増加する。軽量化のために、例えば後群Ｇ１ｂの負レンズ
に使われているガラスを比重の軽いものに変更すると、屈折率が小さくなるので、結果と
して像面湾曲収差の補正が困難となる。
【００４３】
なお、本実施形態の効果をより確実なものとするために、条件式（５）の下限値を０．
５０とすることが望ましい。
【００４４】
また、このような撮影レンズＭＬにおいて、次の条件式（６）で表される条件を満足す
ることが好ましい。
【００４５】
Ｓ１ｐ＜３．５０    …（６）
但し、
Ｓ１ｐ：前群Ｇ１ａのうち少なくとも１枚の正レンズの比重。
【００４６】
条件式（６）は、前群Ｇ１ａのうち少なくとも１枚の正レンズの比重Ｓ１ｐを規定する
ものである。なお、本実施形態における比重は、４℃の水を標準物質とした場合の比重で
ある。条件式（６）の上限値を上回る条件である場合、重量が増加する。軽量化のために
、例えば前群Ｇ１ａの負レンズに使われているガラスを比重の軽いものに変更すると、屈
折率が小さくなるので、結果として像面湾曲収差の補正が困難となる。
【００４７】
なお、本実施形態の効果をより確実なものとするために、条件式（６）の上限値を３．
３０とすることが望ましい。
【００４８】
また、このような撮影レンズＭＬにおいて、次の条件式（７）で表される条件を満足す
ることが好ましい。
【００４９】
Ｓ１ｎ＜４．５０    …（７）
但し、
Ｓ１ｎ：前群Ｇ１ａのうち少なくとも１枚の負レンズの比重。
【００５０】
条件式（７）は、前群Ｇ１ａのうち少なくとも１枚の負レンズの比重Ｓ１ｎを規定する
ものである。条件式（７）の上限値を上回る条件である場合、重量が増加する。軽量化の
ために、例えば前群Ｇ１ａの負レンズの曲率半径を大きくして体積を減らそうとすると、
高分散のレンズ材料を使わなければならないので、色収差、特に２次スペクトルの補正が
困難となる。
【００５１】
なお、本実施形態の効果をより確実なものとするために、条件式（７）の上限値を４．
００とすることが望ましい。
【００５２】
また、条件式（７）の下限値を３．００とすることが好ましい。この下限値を下回る条
件である場合、相対的に屈折率が小さいレンズ材料を用いることになり、結果として像面
湾曲収差の補正が困難となる。なお、本実施形態の効果をより確実なものとするために、
条件式（７）の下限値を３．５０とすることが望ましい。
【００５３】
このように、本実施形態によれば、小型軽量かつ良好な結像性能を有する撮影レンズＭ
Ｌおよび、これを備えた光学機器（デジタル一眼レフカメラＣＡＭ）を得ることが可能に
なる。
【００５４】
ここで、上述のような構成の撮影レンズＭＬの製造方法について、図６を参照しながら
説明する。まず、円筒状の鏡筒内に、物体側から順に、正の屈折力を有する第１レンズ群
Ｇ１と、負の屈折力を有する第２レンズ群Ｇ２と、正の屈折力を有する第３レンズ群Ｇ３
とを組み込む（ステップＳＴ１０）。そして、第２レンズ群Ｇ２を光軸に沿って移動させ
ることにより、無限遠物体から有限距離物体へのフォーカシングが行われるように、第２
レンズ群Ｇ２を駆動可能に構成する（ステップＳＴ２０）。
【００５５】
レンズの組み込みを行うステップＳＴ１０において、第１レンズ群Ｇ１が前述の前群Ｇ
１ａと後群Ｇ１ｂとから構成され、第２レンズ群Ｇ２が前述の負レンズと接合レンズとを
有して構成され、前述の条件式（１）〜条件式（４）等を満足するように、第１レンズ群
Ｇ１、第２レンズ群Ｇ２、および第３レンズ群Ｇ３を配置する。このような製造方法によ
れば、小型軽量かつ良好な結像性能を有する撮影レンズＭＬを得ることができる。
【実施例】
【００５６】
（第１実施例）
以下、本願の各実施例を添付図面に基づいて説明する。まず、本願の第１実施例につい
て図１〜図２および表１を用いて説明する。図１は、第１実施例に係る撮影レンズＭＬ（
ＭＬ１）の無限遠合焦状態におけるレンズ構成図である。第１実施例に係る撮影レンズＭ
Ｌ１は、光軸に沿って物体側から順に並んだ、正の屈折力を有する第１レンズ群Ｇ１と、
負の屈折力を有する第２レンズ群Ｇ２と、開口絞りＳ１と、正の屈折力を有する第３レン
ズ群Ｇ３とを有して構成される。そして、無限遠物体から近距離（有限距離）物体への合
焦の際、第２レンズ群Ｇ２が光軸に沿って像面Ｉ側に移動するようになっている。
【００５７】
第１レンズ群Ｇ１は、光軸に沿って物体側から順に並んだ、正の屈折力を有する前群Ｇ
１ａと、この前群Ｇ１ａに対し第１レンズ群Ｇ１の中で最も長い空気間隔を隔てた正の屈
折力を有する後群Ｇ１ｂとから構成される。第１レンズ群Ｇ１の前群Ｇ１ａは、物体側に
凸面を向けた保護フィルターガラスＨＧと、両凸形状の第１正レンズＬ１１と、両凸形状
の第２正レンズＬ１２と、両凹形状の負レンズＬ１３とから構成される。第１レンズ群Ｇ
１の後群Ｇ１ｂは、物体側から順に、物体側に凸面を向けたメニスカス形状の負レンズＬ
１４と物体側に凸面を向けたメニスカス形状の正レンズＬ１５とが貼り合わされた接合レ
ンズから構成される。
【００５８】
第２レンズ群Ｇ２は、光軸に沿って物体側から順に並んだ、物体側に凸面を向けたメニ
スカス形状の第１負レンズＬ２１と、物体側から順に、物体側に凹面を向けたメニスカス
形状の正レンズＬ２２と両凹形状の第２負レンズＬ２３とが貼り合わされた接合レンズと
から構成される。
【００５９】
第３レンズ群Ｇ３は、光軸に沿って物体側から順に並んだ、両凸形状の第１正レンズＬ
３１と物体側に凹面を向けたメニスカス形状の第１負レンズＬ３２とが貼り合わされた接
合レンズと、両凸形状の第２正レンズＬ３３と、両凸形状の第３正レンズＬ３４と両凹形
状の第２負レンズＬ３５とが貼り合わされた接合レンズと、両凹形状の第３負レンズＬ３
６と、両凸形状の第４正レンズＬ３７と、両凸形状の第５正レンズＬ３８と物体側に凹面
を向けたメニスカス形状の第４負レンズＬ３９とが貼り合わされた接合レンズとから構成
される。また、第３レンズ群Ｇ３のうち、第３正レンズＬ３４と第２負レンズＬ３５との
接合レンズと、第３負レンズＬ３６とを光軸とほぼ垂直な方向に適宜移動させることで、
光学系の振動等に起因する像位置の変動が補正されるようになっている。
【００６０】
なお、第３レンズ群Ｇ３内には、第１のフレアカット絞りＳ２が配設されている。また
、第３レンズ群Ｇ３と像面Ｉとの間には、抜き差し交換可能な光学フィルターＦＬおよび
第２のフレアカット絞りＳ３が配設されている。抜き差し交換可能な光学フィルターＦＬ
として、例えば、ＮＣフィルター（ニュートラルカラーフィルター）や、カラーフィルタ
ー、偏光フィルター、ＮＤフィルター（減光フィルター）、ＩＲフィルター（赤外線カッ
トフィルター）等が用いられる。
【００６１】
以下に、表１〜表２を示すが、これらは第１〜第２実施例に係る撮影レンズの諸元の値
をそれぞれ掲げた表である。各表の［諸元データ］において、ｆは撮影レンズ全系の焦点
距離を、ＦＮＯはＦナンバーを、ωは半画角（最大入射角：単位は「°」）を、Ｙは半画
角に対する像高を、ＴＬはレンズ全長（空気換算長）をそれぞれ示す。［レンズデータ］
において、面番号は物体側から数えた各レンズ面の番号を、Ｒは各レンズ面の曲率半径を
、Ｄは各レンズ面の間隔を、νｄはｄ線（波長λ＝５８７．６ｎｍ）に対するアッベ数を
、ｎｄはｄ線（波長λ＝５８７．６ｎｍ）に対する屈折率を、ｄ１１およびｄ１６は可変
面間隔を、ＢＦはバックフォーカスをそれぞれ示す。なお、曲率半径「0.00000」は平面
を示し、空気の屈折率ｎｄ＝1.00000はその記載を省略している。
【００６２】
［可変間隔データ］において、ｆは撮影レンズ全系の焦点距離を、βは撮影倍率をそれ
ぞれ示す。また、［可変間隔データ］には、各焦点距離および撮影倍率に対応する、物体
から第１レンズ面までの距離Ｄ０の値と、各可変面間隔ｄ１１，ｄ１６の値と、バックフ
ォーカス（空気換算長）ＢＦの値を示す。［条件式対応値］には、各条件式の対応値をそ
れぞれ示す。
【００６３】
なお、以下の全ての諸元値において掲載されている焦点距離ｆ、曲率半径Ｒ、その他の
長さの単位は一般に「mm」が使われるが、光学系は、比例拡大または比例縮小しても同等
の光学性能が得られるので、これに限られるものではない。また、後述の第２実施例の諸
元値においても、本実施例と同様の符号を用いる。
【００６４】
下の表１に、第１実施例における各諸元を示す。なお、表１における第１面〜第３６面
の曲率半径Ｒは、図１における第１面〜第３６面に付した符号Ｒ１〜Ｒ３６に対応してい
る。
【００６５】
（表１）
［諸元データ］
ｆ＝776.0
ＦＮＯ＝5.61
２ω＝3.15
Ｙ＝21.60
ＴＬ＝505.07
［レンズデータ］
面番号      Ｒ            Ｄ          ｎｄ        νｄ
1     1200.37040      5.000      1.516800      63.88
2     1199.78970      1.000
3      215.43740     18.300      1.433852      95.25
4    -1324.26660      0.100
5      244.59720     18.000      1.433852      95.25
6     -748.55470      2.141
7     -718.52850      7.900      1.713000      53.96
8      565.06260    105.348
9      141.60970      6.900      1.713000      53.96
10      75.54510     16.000      1.497820      82.57
11     423.05960      d11
12    2495.65750      3.500      1.834810      42.73
13     119.74690      2.748
14    -436.75640      5.000      1.805180      25.45
15     -82.42540      3.500      1.719990      50.27
16     229.83910      d16      
17       0.00000      4.000                          （開口絞り）
18     133.37300      8.000      1.548140      45.51
19    -107.86820      3.500      1.902000      25.27
20   26354.14300      0.705
21      99.07980      6.500      1.517420      52.20
22    -420.22500     65.264
23       0.00000      5.000                          （フレアカット絞り）
24     118.63290      5.500      1.603420      38.03
25     -42.33090      2.000      1.593190      67.90
26      46.10600      3.000
27    -147.33360      2.000      1.729160      54.61
28      82.28840      4.500
29      74.37600      5.000      1.548140      45.51
30    -844.30850      0.500
31     131.38200      6.500      1.603420      38.03
32     -38.73450      2.000      1.950000      29.37
33     -97.22150     14.210
34       0.00000      2.000      1.516800      63.88
35       0.00000     31.791                          （フレアカット絞り）
36       0.00000      BF
［可変間隔データ］
無限遠合焦状態    近距離合焦状態
ｆ＝776.0        β＝-0.1543
D0        ∞              5294.9
d11      71.00             88.93
d16      24.66              6.73
BF       42.00            42.00
［条件式対応値］
条件式（１）  （−ｆ１ａｎ）／ｆ１＝1.47
条件式（２）  ν１ｂｐ−ν１ｂｎ＝28.6
条件式（３）  Ｒｍ／ｆ２＝0.89
条件式（４）  ν２ｎ−ν２ｐ＝24.8
条件式（５）  Ｄ１ａｂ／Ｄ１＝0.58
条件式（６）  Ｓ１ｐ＝3.18
条件式（７）  Ｓ１ｎ＝3.85
【００６６】
このように本実施例では、上記条件式（１）〜（７）が全て満たされていることが分か
る。
【００６７】
図２（ａ）は、第１実施例に係る撮影レンズＭＬ１の無限遠合焦状態における諸収差図
であり、図２（ｂ）は、像ブレ補正を行った時の横収差図である。各収差図において、Ｆ
ＮＯはＦナンバーを、Ｙは半画角に対する像高をそれぞれ示す。また、各収差図において
、ｄはｄ線（λ＝５８７．６ｎｍ）、ｇはｇ線（λ＝４３５．８ｎｍ）における収差をそ
れぞれ示す。また、非点収差を示す収差図において、実線はサジタル像面を示し、破線は
メリディオナル像面を示している。以上、収差図の説明は他の実施例においても同様であ
る。
【００６８】
そして、各収差図より、第１実施例では、諸収差が良好に補正され、優れた結像性能を
有していることがわかる。その結果、第１実施例の撮影レンズＭＬ１を搭載することによ
り、デジタル一眼レフカメラＣＡＭにおいても、優れた光学性能を確保することができる
。
【００６９】
（第２実施例）
以下、本願の第２実施例について図３〜図４および表２を用いて説明する。図３は、第
２実施例に係る撮影レンズＭＬ（ＭＬ２）の無限遠合焦状態におけるレンズ構成図である
。なお、第２実施例の撮影レンズＭＬ２は、光軸に沿って物体側から順に並んだ、正の屈
折力を有する第１レンズ群Ｇ１と、負の屈折力を有する第２レンズ群Ｇ２と、開口絞りＳ
１と、正の屈折力を有する第３レンズ群Ｇ３とを有して構成される。そして、無限遠物体
から近距離（有限距離）物体への合焦の際、第２レンズ群Ｇ２が光軸に沿って像面Ｉ側に
移動するようになっている。
【００７０】
第１レンズ群Ｇ１は、光軸に沿って物体側から順に並んだ、正の屈折力を有する前群Ｇ
１ａと、この前群Ｇ１ａに対し第１レンズ群Ｇ１の中で最も長い空気間隔を隔てた正の屈
折力を有する後群Ｇ１ｂとから構成される。第１レンズ群Ｇ１の前群Ｇ１ａは、物体側に
凸面を向けた保護フィルターガラスＨＧと、両凸形状の第１正レンズＬ１１と、両凸形状
の第２正レンズＬ１２と、両凹形状の負レンズＬ１３とから構成される。第１レンズ群Ｇ
１の後群Ｇ１ｂは、物体側から順に、物体側に凸面を向けたメニスカス形状の負レンズＬ
１４と物体側に凸面を向けたメニスカス形状の正レンズＬ１５とが貼り合わされた接合レ
ンズから構成される。
【００７１】
第２レンズ群Ｇ２は、光軸に沿って物体側から順に並んだ、物体側に凸面を向けたメニ
スカス形状の第１負レンズＬ２１と、物体側から順に、物体側に凹面を向けたメニスカス
形状の正レンズＬ２２と両凹形状の第２負レンズＬ２３とが貼り合わされた接合レンズと
から構成される。
【００７２】
第３レンズ群Ｇ３は、光軸に沿って物体側から順に並んだ、両凸形状の第１正レンズＬ
３１と、物体側に凹面を向けたメニスカス形状の第１負レンズＬ３２と、物体側に凸面を
向けたメニスカス形状の第２正レンズＬ３３と、物体側に凸面を向けたメニスカス形状の
第２負レンズＬ３４と両凸形状の第３正レンズＬ３５とが貼り合わされた接合レンズと、
物体側に凸面を向けたメニスカス形状の第３負レンズＬ３６と物体側に凸面を向けたメニ
スカス形状の第４正レンズＬ３７とが貼り合わされた接合レンズとから構成される。また
、第３レンズ群Ｇ３のうち、第１正レンズＬ３１と、第１負レンズＬ３２と、第２正レン
ズＬ３３とを光軸とほぼ垂直な方向に適宜移動させることで、光学系の振動等に起因する
像位置の変動が補正されるようになっている。
【００７３】
なお、第３レンズ群Ｇ３と像面Ｉとの間には、抜き差し交換可能な光学フィルターＦＬ
およびフレアカット絞りＳ２が配設されている。抜き差し交換可能な光学フィルターＦＬ
として、例えば、ＮＣフィルター（ニュートラルカラーフィルター）や、カラーフィルタ
ー、偏光フィルター、ＮＤフィルター（減光フィルター）、ＩＲフィルター（赤外線カッ
トフィルター）等が用いられる。
【００７４】
下の表２に、第２実施例における各諸元を示す。なお、表２における第１面〜第３２面
の曲率半径Ｒは、図３における第１面〜第３２面に付した符号Ｒ１〜Ｒ３２に対応してい
る。
【００７５】
（表２）
［諸元データ］
ｆ＝776.0
ＦＮＯ＝5.66
２ω＝3.17
Ｙ＝21.60
ＴＬ＝510.03
［レンズデータ］
面番号      Ｒ            Ｄ          ｎｄ        νｄ
1     1200.37040      5.000      1.516800      63.88
2     1199.78970      1.000
3      211.93680     16.000      1.433852      95.25
4    -6961.87300      0.100
5      239.37240     18.000      1.433852      95.25
6     -564.39450      2.141
7     -602.57570      7.900      1.713000      53.96
8      727.62630     93.889
9      130.09840      6.900      1.713000      53.96
10      74.02100     16.000      1.497820      82.57
11     342.63630      d11
12     148.27840      3.500      1.795000      45.31
13      75.82600      4.314
14    -211.93030      5.000      1.795040      28.69
15     -70.55380      3.500      1.717000      47.97
16     196.03220      d16
17       0.00000      6.600                          （開口絞り）
18     236.47740      6.000      1.548140      45.51
19    -145.94770      2.500
20    -143.37060      3.000      1.846660      23.80
21    -374.15190      7.000
22     142.85380      6.000      1.518230      58.82
23    1037.90390     82.898
24     349.94570      2.400      1.902650      35.72
25      55.90950      8.000      1.620041      36.26
26    -1342.21780  
5.000
27     734.39130      2.500      1.593190      67.90
28      61.49180      8.000      1.698947      30.13
29     192.90290     10.000
30       0.00000      2.000      1.516800      63.88
31       0.00000     40.000                          （フレアカット絞り）
32       0.00000      BF
［可変間隔データ］
無限遠合焦状態    近距離合焦状態
ｆ＝776.0        β＝-0.1540
D0        ∞              5290.0
d11      71.84             87.77
d16      21.05              5.12
BF       42.00            42.00
［条件式対応値］
条件式（１）  （−ｆ１ａｎ）／ｆ１＝1.63
条件式（２）  ν１ｂｐ−ν１ｂｎ＝28.6
条件式（３）  Ｒｍ／ｆ２＝0.81
条件式（４）  ν２ｎ−ν２ｐ＝19.3
条件式（５）  Ｄ１ａｂ／Ｄ１＝0.56
条件式（６）  Ｓ１ｐ＝3.18
条件式（７）  Ｓ１ｎ＝3.85
【００７６】
このように本実施例では、上記条件式（１）〜（７）が全て満たされていることが分か
る。
【００７７】
図４（ａ）は、第２実施例に係る撮影レンズＭＬ２の無限遠合焦状態における諸収差図
であり、図４（ｂ）は、像ブレ補正を行った時の横収差図である。各収差図より、第２実
施例では、諸収差が良好に補正され、優れた結像性能を有していることがわかる。その結
果、第２実施例の撮影レンズＭＬ２を搭載することにより、デジタル一眼レフカメラＣＡ
Ｍにおいても、優れた光学性能を確保することができる。
【００７８】
以上、各実施例によれば、小型軽量かつ良好な結像性能を有する撮影レンズＭＬおよび
光学機器（デジタル一眼レフカメラＣＡＭ）を実現することができる。
【００７９】
なお、上述の実施形態において、以下に記載の内容は、光学性能を損なわない範囲で適
宜採用可能である。
【００８０】
上述の各実施例において、３群構成を示したが、４群等の他の群構成にも適用可能であ
る。また、最も物体側にレンズまたはレンズ群を追加した構成や、最も像側にレンズまた
はレンズ群を追加した構成でも構わない。また、レンズ群とは、変倍時に変化する空気間
隔で分離された、少なくとも１枚のレンズを有する部分を示す。
【００８１】
また、単独または複数のレンズ群、または部分レンズ群を光軸方向に移動させて、無限
遠物体から近距離物体への合焦を行う合焦レンズ群としてもよい。この合焦レンズ群は、
オートフォーカスにも適用することができ、オートフォーカス用の（超音波モーター等を
用いた）モーター駆動にも適している。特に、第２レンズ群を合焦レンズ群とするのが好
ましい。
【００８２】
また、レンズ群または部分レンズ群を光軸に垂直な方向の成分を持つように移動させ、
または、光軸を含む面内方向に回転移動（揺動）させて、手ブレによって生じる像ブレを
補正する防振レンズ群としてもよい。特に、第３レンズ群の少なくとも一部を防振レンズ
群とするのが好ましい。
【００８３】
また、レンズ面は、球面または平面で形成されても、非球面で形成されても構わない。
レンズ面が球面または平面の場合、レンズ加工および組立調整が容易になり、加工および
組立調整の誤差による光学性能の劣化を防げるので好ましい。また、像面がずれた場合で
も描写性能の劣化が少ないので好ましい。レンズ面が非球面の場合、非球面は、研削加工
による非球面、ガラスを型で非球面形状に形成したガラスモールド非球面、ガラスの表面
に樹脂を非球面形状に形成した複合型非球面のいずれの非球面でも構わない。また、レン
ズ面は回折面としてもよく、レンズを屈折率分布型レンズ（ＧＲＩＮレンズ）あるいはプ
ラスチックレンズとしてもよい。
【００８４】
また、開口絞りは第３レンズ群の近傍または内部に配置されるのが好ましいが、開口絞
りとしての部材を設けずに、レンズの枠でその役割を代用してもよい。
【００８５】
また、各レンズ面には、フレアやゴーストを軽減し高コントラストの高い光学性能を達
成するために、広い波長域で高い透過率を有する反射防止膜を施してもよい。
【符号の説明】
【００８６】
ＣＡＭ  デジタル一眼レフカメラ（光学機器）
ＭＬ  撮影レンズ
Ｇ１  第１レンズ群
Ｇ１ａ  前群                            Ｇ１ｂ  後群
Ｇ２  第２レンズ群                      Ｇ３  第３レンズ群
Ｓ１  開口絞り                            Ｉ  像面
【図１】
0005867294.tif 000002
【図２】
0005867294.tif 000003
【図３】
0005867294.tif 000004
【図４】
0005867294.tif 000005
【図５】
0005867294.tif 000006
【図６】
0005867294.tif 000007